(57)【要約】【課題】位置決めが容易となり、補強フレーム上に確実かつ容易に浴槽を設置できる洗い場付浴槽の設置構造を提供する。【解決手段】洗い場パン１の裏側から延出された補強フレーム４上に、別体の浴槽脚６，６，６，６を介在させて、別体の浴槽３を固設する構造であって、各浴槽脚６は、浴槽の裏側に固設される浴槽取付部６ａと、浴槽取付部６ａの下部に設けられて補強フレーム４を挟み込むことのできる下向きに開放したコの字状のフレーム挟み部６ｂと、フレーム挟み部６ｂを補強フレーム４に固定するためのネジ用の固定用孔６ｃを備えて構成されている。【選択図】        図１
2005016263.tif 000002
【特許請求の範囲】
【請求項１】
洗い場パンの裏側から延出された補強フレーム上に、別体の浴槽脚を介在させて別体の浴槽を固設する洗い場付浴槽の設置構造であって、前記浴槽脚は、前記浴槽の裏側に固設される浴槽取付部と、該浴槽取付部の下部に設けられて前記補強フレームを挟み込むことのできる下向きに開放したコの字状のフレーム挟み部と、該フレーム挟み部を前記補強フレームに固定するための固定用孔を備えていることを特徴とする洗い場付浴槽の設置構造。
【請求項２】
前記浴槽脚のフレーム挟み部の下端には、該フレーム挟み部を前記補強フレームに挟み付ける時のガイドとなるガイド部が形成されていることを特徴とする請求項１に記載の洗い場付浴槽の設置構造。
【請求項３】
前記浴槽脚は、固定用孔が、浴槽の底外周リブの外側に配置されるように浴槽の裏側に固設されることを特徴とする請求項１に記載の洗い場付浴槽の設置構造。
【発明の詳細な説明】
【０００１】
【発明の属する技術分野】
この発明は、洗い場付浴槽の設置構造に関するものである。
【０００２】
【従来の技術及び発明が解決しようとする課題】
従来、特許文献１に開示されているように、洗い場パンの裏側から延出された補強フレーム上に、別体の浴槽を設置する際に、浴槽の底面と補強フレームを洗い場パン側の端部で固定し、浴槽の奥側は、上方へ起立させた補強フレームに対して浴槽上部の水切部をビスで固定しており、このような洗い場付浴槽の設置構造では、補強フレームが複雑な形状をなし、コストが高くなってしまうという問題点がある。
また、従来、浴槽を補強フレームに接着剤で接着固定しているが、このような接着方式では、接着剤の状態によっては確実な固定が成されているかどうかは分からず、また、位置決めも困難であるという問題点があった。
【０００３】
【特許文献１】
特開平１１−１７２７３４号公報
【０００４】
そこで本願発明者は、図５、図６のような洗い場付浴槽の設置構造を案出した。
即ち、図５の斜視図で示すものは、浴槽３の底側に一体状に、フレーム挟み部６ｂを凹み状に形成した浴槽脚６を設けたものであり、このような浴槽３に一体化された浴槽脚６のフレーム挟み部６ｂを、補強フレームに挟み付けて、補強フレーム上に浴槽３を設置することができるものである。
【０００５】
さらには、図６の要部縦断面図で示すように、浴槽３の底側に一体状に、浴槽脚を兼用する下向きに開放した一対のリブ３ｄ，３ｄを設けておき、このリブ３ｄ，３ｄを補強フレーム４に挟み込んで、補強フレーム４上に浴槽３を位置決めして設置することができるものである。
【０００６】
しかし、図５、図６のような洗い場付浴槽の設置構造では、浴槽３と補強フレーム４との位置決めはできても、浴槽３と補強フレーム４の固定が容易でないという問題点があった。
【０００７】
【課題を解決するための手段】
本発明は上記従来の問題点に鑑み案出したものであって、浴槽を簡単に位置決めして、補強フレームに確実に固定することのできる洗い場付浴槽の設置構造を提供せんことを目的とし、その第１の要旨は、洗い場パンの裏側から延出された補強フレーム上に、別体の浴槽脚を介在させて別体の浴槽を固設する洗い場付浴槽の設置構造であって、前記浴槽脚は、前記浴槽の裏側に固設される浴槽取付部と、該浴槽取付部の下部に設けられて前記補強フレームを挟み込むことのできる下向きに開放したコの字状のフレーム挟み部と、該フレーム挟み部を前記補強フレームに固定するための固定用孔を備えていることである。
また、第２の要旨は、前記浴槽脚のフレーム挟み部の下端には、該フレーム挟み部を前記補強フレームに挟み付ける時のガイドとなるガイド部が形成されていることである。
また、第３の要旨は、前記浴槽脚は、固定用孔が、浴槽の底外周リブの外側に配置されるように浴槽の裏側に固設されることである。
【０００８】
【発明の実施の形態】
以下、本発明の実施例を図面に基づいて説明する。
図１は、洗い場付浴槽の分解斜視図であり、洗い場付浴槽は、エプロン２を一体化させた洗い場パン１と、別体の浴槽３で構成されている。
洗い場パン１の裏面には、角パイプで枠組みされた補強フレーム４が設けられ、その一部の平行な２本の補強フレーム４，４が洗い場パン１の裏側から図示左側へ延出されている。
この洗い場パン１から外側へ延出された２本の補強フレーム４，４上に浴槽３を固定状に設置するに際し、別体で形成した４個の樹脂製の浴槽脚６，６，６，６が用いられるものである。
【０００９】
図２の浴槽を底側から見上げた斜視図で示すように、浴槽３の底の外周には一体状に底外周リブ３ａが垂下状に形成されており、この底外周リブ３ａのコーナー部内側には、Ｌ状のコーナーリブ３ｂ，３ｂ，３ｂ，３ｂがそれぞれ形成されて、このコーナーリブ３ｂと底外周リブ３ａ間で方形状の固定穴５が凹み状に形成されている。即ち、固定穴５は、底外周リブ３ａの四隅内側にそれぞれ形成されている。また、この固定穴５内にビス８をネジ込むことのできるビス孔３ｃ，３ｃが底外周リブ３ａに形成されている。
【００１０】
浴槽脚６は、上方へ突出する方形ブロック状の浴槽取付部６ａと、この浴槽取付部６ａの下部に一体化されて、下向きに開放した断面コの字状のフレーム挟み部６ｂと、このフレーム挟み部６ｂの上面の浴槽取付部６ａの側方に形成されたボルト７を通すことのできる固定用孔６ｃと、前記フレーム挟み部６ｂの下端に外側へ拡開状に形成されたガイド部６ｄで構成されている。
【００１１】
先ず、浴槽脚６の浴槽取付部６ａを、浴槽３の底側の固定穴５内に差し込み、差し込んだ状態で、底外周リブ３ａの側面から、ビス８をビス孔３ｃ内にネジ込んで、このビス８により、浴槽脚６の浴槽取付部６ａを浴槽３に固定して、４個の浴槽脚６を予め浴槽３に取り付けておく。なお、この場合、各浴槽脚６の固定用孔６ｃがそれぞれ浴槽３の底外周リブ３ａの外側に配置されるように取り付けておく。
【００１２】
その状態で、浴槽３を補強フレーム４上に降ろしてゆき、各浴槽脚６のガイド部６ｄを補強フレーム４に整合させて、ガイド部６ｄにガイドさせながら浴槽脚６を補強フレーム４に嵌め込んでゆく。この場合、浴槽脚６のフレーム挟み部６ｂは下向きに開放されたコの字状を成すため、角パイプで構成された補強フレーム４の外側に挟み込まれることとなり、挟み込まれた状態では、浴槽３が幅方向へズレることはなく、確実な位置決めが成されるものとなる。
【００１３】
その状態で、図３の概略側面図で示すように、各浴槽脚６に形成されている固定用孔６ｃに、上方側から、ネジ又は、ビス又は、ボルト７を差し込み、ボルト７を補強フレーム４に締め付けて、ボルト７を介し確実に浴槽脚６を補強フレーム４に固定することができるものとなる。
なお、固定用孔６ｃが浴槽３の底外周リブ３ａから外側へ突出した状態となっているため、良好にボルト７を固定用孔６ｃ内に差し込み、かつボルト７を工具を用いて良好に締め付けることができ、ボルト７を補強フレーム４に締め付け固定する作業が容易に行えるものとなる。
【００１４】
このようにボルト７で確実に補強フレーム４に固定されるため、従来のような接着剤で接着する場合に比べて、固定が確実となる。
また、補強フレーム４は、一対、平行状に洗い場パン１の裏側から外方へ突出させておけば良く、補強フレーム４の構造も簡単となり、コストを低減できるものとなる。
【００１５】
なお、浴槽脚６の浴槽３側への固定方法は、浴槽取付部６ａを固定穴５内に固定する場合の他、例えば、図４の断面図で示すように、浴槽３の底側にリブ３ｄ，３ｄを垂設させておき、浴槽脚６側には取付クリップ部６ｅ，６ｅを設けておき、取付クリップ部６ｅ，６ｅを浴槽のリブ３ｄ，３ｄに挟み込み状に嵌合させて、浴槽脚６を浴槽３に固定させるような構造であっても良い。
【００１６】
【発明の効果】
本発明は、洗い場パンの裏側から延出された補強フレーム上に、別体の浴槽脚を介在させて別体の浴槽を固設する洗い場付浴槽の設置構造であって、浴槽脚は、浴槽の裏側に固設される浴槽取付部と、浴槽取付部の下部に設けられて補強フレームを挟み込むことのできる下向きに開放したコの字状のフレーム挟み部と、フレーム挟み部を補強フレームに固定するための固定用孔を備えていることにより、浴槽の裏側に浴槽取付部を介して予め浴槽脚を取り付けておき、この状態で、浴槽を補強フレーム上に降ろして、補強フレームに浴槽脚のフレーム挟み部を挟み付けて良好に位置決めすることができ、その後に固定用孔内にネジ、ビス、ボルト等を入れて、ボルト等を補強フレームに締め付け、確実に補強フレームに浴槽脚を介して浴槽を固定することができるものとなる。
【００１７】
また、浴槽脚のフレーム挟み部の下端には、フレーム挟み部を補強フレームに挟み付ける時のガイドとなるガイド部が形成されていることにより、補強フレーム上に浴槽脚のフレーム挟み部を挟み込む際に、ガイド部がガイドとなり、良好に補強フレームに浴槽脚を挟み付けて位置決めできるものとなり、作業が容易となる効果を有する。
【００１８】
また、浴槽脚は、固定用孔が、浴槽の底外周リブの外側に配置されるように浴槽の裏側に固設されることにより、固定用孔が浴槽の底外周リブから外側へ突出した状態となっているため、良好にボルト等を固定用孔内に差し込み、かつボルト等を工具を用いて良好に締め付けることができ、ボルト等を補強フレームに締め付け固定する作業が容易に行える効果を有する。
【図面の簡単な説明】
【図１】洗い場パンの裏側から延出された補強フレーム上に、浴槽を浴槽脚を介在させて取り付ける前の分解斜視図である。
【図２】浴槽と浴槽脚を下側から見上げた状態の斜視構成図である。
【図３】補強フレーム上に浴槽を固定した状態の要部側面構成図である。
【図４】浴槽脚の浴槽への取付構造の変更例を示す縦断面構成図である。
【図５】浴槽脚が一体化された浴槽の斜視構成図である。
【図６】一体化された浴槽脚を有する浴槽を、補強フレームに固定した状態の要部縦断面構成図である。
【符号の説明】
１  洗い場パン
２  エプロン
３  浴槽
３ａ  底外周リブ
３ｂ  コーナーリブ
３ｃ  ビス孔
３ｄ  リブ
４  補強フレーム
５  固定穴
６  浴槽脚
６ａ  浴槽取付部
６ｂ  フレーム挟み部
６ｃ  固定用孔
６ｄ  ガイド部
６ｅ  取付クリップ部
７  ボルト
８  ビス
【図１】
2005016263.tif 000003
【図２】
2005016263.tif 000004
【図３】
2005016263.tif 000005
【図４】
2005016263.tif 000006
【図５】
2005016263.tif 000007
【図６】
2005016263.tif 000008